(57)【要約】【課題】現場での作業を簡易にし、施工工数を削減することにより工期を短縮することを可能とすることができるハーフプレキャスト梁、前記ハーフプレキャスト梁の製造方法、及び建築構造物の躯体の施工方法を提供する。【解決手段】ハーフプレキャスト梁１は、建築構造物の躯体を構成するハーフプレキャスト梁１であって、梁１断面の外周部に水平方向に延在するように配置された複数の梁主筋１１と、梁１の延在する方向に間隔をおいて梁主筋１１を囲むように設けられた複数のせん断補強筋１２と、梁１の両側下部に上下方向の貫通空間３３が形成されるように対向して配置され、梁主筋１１及びせん断補強筋１２の一部をその内部に配置して形成されたプレキャストコンクリート板１３とを備える。【選択図】図４
2012241311.tif 000002
【特許請求の範囲】
【請求項１】
建築構造物の躯体を構成するハーフプレキャスト梁であって、
梁断面の外周部に水平方向に延在するように配置された複数の梁主筋と、
前記梁の延在する方向に間隔をおいて前記梁主筋を囲むように設けられた複数のせん断補強筋と、
前記梁の両側下部に上下方向の貫通空間が形成されるように対向して配置され、前記梁主筋及び前記せん断補強筋の一部をその内部に配置して形成されたプレキャストコンクリート板とを備えることを特徴とするハーフプレキャスト梁。
【請求項２】
請求項１に記載の前記ハーフプレキャスト梁の製造方法であって、
上方に突出した凸部を有する土台を設置する土台設置工程と、
前記凸部の外側に、コンクリート用外型枠を仮設する外型枠仮設工程と、
前記凸部の上に予め組み立てられた前記梁主筋及び前記せん断補強筋を有する梁筋を設置する梁筋設置工程と、
前記凸部の上にコンクリート用内型枠を仮設する内型枠仮設工程と、
前記コンクリート用外型枠と前記コンクリート用内型枠との間に、コンクリートを打設する打設工程と、
前記コンクリート用内型枠及び前記コンクリート用外型枠を撤去する型枠撤去工程とを備えることを特徴とするハーフプレキャスト梁の製造方法。
【請求項３】
請求項２に記載のハーフプレキャスト梁の製造方法において、
前記内型枠仮設工程は、前記コンクリート用内型枠として、前記梁筋と干渉しない形状に形成されるとともに、上下方向に分割された分割コンクリート用内型枠を上下方向に敷設し、
前記型枠撤去工程は、前記分割コンクリート用内型枠を順に撤去することを特徴とするハーフプレキャスト梁の製造方法。
【請求項４】
建築構造物の躯体の施工方法であって、
床から上下方向に延在する壁縦筋及び一の水平方向に延在する壁横筋を有する壁筋を組み立てる壁筋組立工程と、
前記壁筋の外周にコンクリート用型枠を仮設する型枠仮設工程と、
前記コンクリート用型枠の内部にコンクリートを打設して壁を形成する第一打設工程と、
前記コンクリート用型枠を撤去する型枠撤去工程と、
前記壁の上方に受け材を仮設する受け材仮設工程と、
前記壁及び前記受け材の上方に請求項１に記載のハーフプレキャスト梁を設置する梁設置工程と、
前記壁の上方にスラブ板を設置するスラブ板設置工程と、
前記スラブ板の上方及び前記ハーフプレキャスト梁の内部にコンクリートを打設する第二打設工程と、
前記受け材を撤去する受け材撤去工程とを備えることを特徴とする建築物の躯体の施工方法。
【請求項５】
建築構造物の躯体の施工方法であって、
床に支保工を設置する支保工設置工程と、
前記床から上下方向に延在する壁縦筋及び一の水平方向に延在する壁横筋を有する壁筋を組み立てる壁筋組立工程と、
請求項１に記載のハーフプレキャスト梁を前記支保工に支持されるように設置する梁設置工程と、
前記壁筋の外周であり、前記ハーフプレキャスト梁の下方にコンクリート用型枠を仮設する型枠仮設工程と、
前記コンクリート用型枠の内部及びハーフプレキャスト梁の内部にコンクリートを打設して壁を形成する第一打設工程と、
前記支保工及び前記コンクリート用型枠を撤去する撤去工程と、
前記壁の上方にスラブ板を設置するスラブ板設置工程と、
前記スラブ板の上方及び前記ハーフプレキャスト梁の内部に前記コンクリートを打設する第二打設工程とを備えることを特徴とする建築物の躯体の施工方法。
【発明の詳細な説明】
【技術分野】
【０００１】
本発明は、ハーフプレキャスト梁、ハーフプレキャスト梁の製造方法、及び建築構造物の躯体の施工方法に関するものである。
【背景技術】
【０００２】
一般に、ラーメン構造の鉄筋コンクリート造の集合住宅やホテル等の中高層建築物においては、柱と梁で地震荷重や風荷重等の水平荷重を負担し、建物の強度を確保している。ここで、建物の強度をさらに高めるために、柱と梁の間に耐震壁を設ける場合がある。この場合、現場で梁の直下に梁主筋やせん断補強筋を配筋して、配筋した箇所にコンクリートを打設することにより耐震壁を施工する方法が採られている。
【０００３】
一方、近年の大地震の影響もあり、鉄筋コンクリート造の超高層建築物においても、耐震性を一層強化するために耐震壁が採用される場合があり、耐震壁を設ける建築物が多く見られるようになってきた。
【０００４】
例えば、特許文献１には、既存の建築物の梁の下方に耐震壁を施工する方法として、プレキャストコンクリートブロックを用いる方法が提案されている。ここで、梁及び梁の直下に設けられた耐震壁を鉛直方向から断面視すると、梁の厚さより耐震壁の厚さが薄くなっている。そして、梁と耐震壁の接合部分ではコンクリートの入隅が形成され、また梁の下端部ではコンクリートの出隅が形成されている。
【先行技術文献】
【特許文献】
【０００５】
【特許文献１】特開平９−３２８９０８号公報
【発明の概要】
【発明が解決しようとする課題】
【０００６】
しかしながら、特許文献１のような耐震壁を新規に施工する場合には、上述の梁と耐震壁との間に生じる入隅及び出隅の形状を、現場でコンクリートを打設して形成するために、該入隅及び出隅の形状に対応した型枠を製作しなければならない。しかし、該型枠は、短い距離の間で入隅及び出隅が交互に配されるという複雑な形状をしているため、型枠の製作に時間や手間がかかるという問題点があった。
また、施工された出隅及び入隅において、正確な平面や直角が形成されていない場合がある。この場合には、不要なコンクリートを取り除くはつり作業や、設計図通りに仕上げるためにコンクリートを左官する等の補修作業が必要となり、時間や手間がかかり、結果として費用が生じるという問題点があった。
一方、耐震壁の厚さを梁の厚さと同じになるようにコンクリートを通常より厚く打設することにより、入隅及び出隅を設けない方法もある。しかし、この場合は耐震壁として本来必要とされている以上のコンクリートを打設しなければならず、時間や手間がかかるという問題点があった。
また、超高層建築物に耐震壁を設ける場合には高強度コンクリートを使用するが、高強度コンクリートはコンクリートの打設管理や施工後の養生管理が厳密に行わなくてはならので、手間がかかるという問題点があった。
【０００７】
本発明は、前述の従来技術における問題を解決するために、超高層建築物を始めとする建築物において、現場での作業を簡易にし、施工工数を削減することにより工期を短縮することを可能とする予め工場で製造されたハーフプレキャスト梁、前記ハーフプレキャスト梁の製造方法、及び建築構造物の躯体の施工方法を提供することを目的とするものである。
ここで、ハーフプレキャスト梁とは、梁の内部の全部にプレキャストコンクリートを打設するのではなく、建築構造物として完成した後には床板と一体となる梁の上部にはコンクリートを打設せずに、一部の主筋及びせん断補強筋を露出した状態にさせておく梁を言う。
【課題を解決するための手段】
【０００８】
上記目的を達成するために、本発明は以下の手段を採用している。
すなわち、本発明に係るハーフプレキャスト梁は、建築構造物の躯体を構成するハーフプレキャスト梁であって、梁断面の外周部に水平方向に延在するように配置された複数の梁主筋と、前記梁の延在する方向に間隔をおいて前記梁主筋を囲むように設けられた複数のせん断補強筋と、前記梁の両側下部に上下方向の貫通空間が形成されるように対向して配置され、前記梁主筋及び前記せん断補強筋の一部をその内部に配置して形成されたプレキャストコンクリート板とを備えることを特徴とする。
【０００９】
この構成では、ハーフプレキャスト梁は、梁断面の外周部に配置された梁主筋と、該梁主筋を囲むように設けられたせん断補強筋と、梁主筋及びせん断補強筋の一部をその内部に配置するプレキャストコンクリート板とを備える。よって、ハーフプレキャスト梁を使用すれば、現場で梁を構成する梁主筋及びせん断補強筋を配筋して、コンクリート打設する作業が不要なので、現場における簡易作業性を得ることができる。
【００１０】
また、本発明に係るハーフプレキャスト梁の製造方法は、上方に突出した凸部を有する土台を設置する土台設置工程と、前記水平板の上であって、前記土台の外側に、コンクリート用外型枠を仮設する外型枠仮設工程と、前記土台の上に予め組み立てられた前記梁主筋及び前記せん断補強筋を有する梁筋を設置する梁筋設置工程と、前記土台の上にコンクリート用内型枠を仮設する内型枠仮設工程と、前記コンクリート用外型枠と前記コンクリート用内型枠との間に、コンクリートを打設する打設工程と、前記コンクリート用内型枠及び前記コンクリート用外型枠を撤去する型枠撤去工程とを備えることを特徴とする。
【００１１】
このようなハーフプレキャスト梁の製造方法によれば、土台設置工程によって土台を設置し、梁筋仮設工程によって土台の上に梁筋を敷設する。また、外型枠仮設工程、及び内型枠仮設工程によって後工程でコンクリートを打設する際に使用するコンクリート用外型枠及びコンクリート用内型枠を形成し、打設工程によってコンクリート用外型枠及びコンクリート用内型枠の間にコンクリートを打設することができる。これにより、工場で、梁主筋とせん断補強筋とプレキャストコンクリート板とを備えるハーフプレキャスト梁の製造が可能となる。
【００１２】
また、本発明に係るハーフプレキャスト梁の製造方法は、前記内型枠仮設工程は、前記コンクリート用内型枠として、前記梁筋と干渉しない形状に形成されるとともに、上下方向に分割された分割コンクリート用内型枠を上下方向に敷設し、前記型枠撤去工程は、前記分割コンクリート用内型枠を順に撤去することを特徴とする。
【００１３】
このようなハーフプレキャスト梁の製造方法によれば、コンクリート用型枠仮設工程ではコンクリート用内型枠をハーフプレキャスト梁の梁主筋及びせん断補強筋と干渉しない状態で仮設することができ、また型枠撤去工程では分割されたコンクリート用内型枠を上から順に撤去することにより完全に撤去することができる。よって、梁筋の形状に対応したコンクリート用内型枠を使用することにより、確実にプレキャストコンクリート板を製造することができる。
【００１４】
また、本発明に係る建築構造物の躯体の施工方法は、床から上下方向に延在する壁縦筋及び一の水平方向に延在する壁横筋を有する壁筋を組み立てる壁筋組立工程と、前記壁筋の外周にコンクリート用型枠を仮設する型枠仮設工程と、前記コンクリート用型枠の内部にコンクリートを打設して壁を形成する第一打設工程と、前記コンクリート用型枠を撤去する型枠撤去工程と、前記壁の上方に受け材を仮設する受け材仮設工程と、前記壁及び前記受け材の上方にハーフプレキャスト梁を設置する梁設置工程と、前記壁の上方にスラブ板を設置するスラブ板設置工程と、前記スラブ板の上方及び前記ハーフプレキャスト梁の内部にコンクリートを打設する第二打設工程と、前記受け材を撤去する受け材撤去工程とを備えることを特徴とする。
【００１５】
このような建築構造物の躯体の施工方法によれば、壁筋組立工程により壁の構造を構成する壁筋を組み立てることができる。また、型枠仮設工程により後工程でコンクリートを打設する際に使用するコンクリート用型枠を形成し、第一打設工程によりコンクリート用型枠の内部にコンクリートを打設することができ、型枠撤去工程により型枠を撤去する。これにより、コンクリートを壁筋の外側に打設することができるので、建築構造物の躯体を構成する壁を施工することができる。
また、受け材仮設工程により後工程で設置するハーフプレキャスト梁を支持するため受け材を壁の上方に仮設し、梁設置工程によりハーフプレキャスト梁を受け材の上方に設置する。よって、ハーフプレキャスト梁は、受け材及び受け材の下方の壁に支持される。次に、スラブ板設置工程により壁の上方にスラブ板を設置し、第二打設工程によりスラブ板の上方及びハーフプレキャスト梁の内部にコンクリートを打設することができ、受け材撤去工程により受け材を撤去する。これにより、ハーフプレキャスト梁の内部及びスラブ板の上方にコンクリートを打設することができるので、建築構造物の躯体を構成する梁、及びスラブを施工することができる。
また、予め工場で製造されたハーフプレキャスト梁を使用するので、現場で梁主筋及びせん断補強筋を配筋する必要がない。よって、現場での作業を簡易にし、施工工数を削減することにより工期を短縮することを可能とする。
また、ハーフプレキャスト梁を構成するプレキャストコンクリート板は、現場でハーフプレキャスト梁の内部に打設するコンクリートの型枠の役割を担うので、現場でハーフプレキャスト梁の内部に打設するための型枠を設置する必要がなく、現場での作業を簡易にし、施工工数を削減することができる。
【００１６】
また、本発明に係る建築構造物の躯体の施工方法は、床に支保工を設置する支保工設置工程と、前記床から上下方向に延在する壁縦筋及び一の水平方向に延在する壁横筋を有する壁筋を組み立てる壁筋組立工程と、請求項１に記載のハーフプレキャスト梁を前記支保工に支持されるように設置する梁設置工程と、前記壁筋の外周であり、前記ハーフプレキャスト梁の下方にコンクリート用型枠を仮設する型枠仮設工程と、前記コンクリート用型枠の内部及びハーフプレキャスト梁の内部にコンクリートを打設して壁を形成する第一打設工程と、前記支保工及び前記コンクリート用型枠を撤去する撤去工程と、前記壁の上方にスラブ板を設置するスラブ板設置工程と、前記スラブ板の上方及び前記ハーフプレキャスト梁の内部に前記コンクリートを打設する第二打設工程とを備えることを特徴とする。
【００１７】
このような建築構造物の躯体の施工方法によれば、壁筋組立工程により壁の構造を構成する壁筋を組み立てることができる。また、支保工設置工程により後工程で仮設するコンクリート用型枠を支持する支保工を設置し、型枠設置工程により後工程でコンクリートを打設する際に使用するコンクリート用型枠を形成し、第一打設工程によりコンクリート用型枠の内部にコンクリートを打設することができ、撤去工程により支保工及びコンクリート用型枠を撤去する。これにより、コンクリートを壁筋の外側に打設することができるので、建築構造物の躯体を構成する壁を施工することができる。
また、梁設置工程によりハーフプレキャスト梁を設置し、第一打設工程及び第二打設工程でハーフプレキャスト梁の内部にコンクリートを打設することができる。これにより、建築構造物の躯体を構成する梁を施工することができる。
また、スラブ板設置工程により壁の上方にスラブ板を設置し、第二打設工程によりスラブ板の上方にコンクリートを打設することができる。これにより、スラブ板の上方にコンクリートを打設することができるので、建築構造物の躯体を構成するスラブを施工することができる。
また、予め工場で製造されたハーフプレキャスト梁を使用するので、現場で梁主筋及びせん断補強筋を配筋する必要がない。よって、現場での作業を簡易にし、施工工数を削減することにより工期を短縮することを可能とする。
また、ハーフプレキャスト梁を構成するプレキャストコンクリート板は、現場でハーフプレキャスト梁の内部に打設するコンクリートの型枠の役割を担うので、現場でハーフプレキャスト梁の内部に打設するための型枠を設置する必要がなく、現場での作業を簡易にし、施工工数を削減することができる。
【発明の効果】
【００１８】
本発明に係るハーフプレキャスト梁、前記ハーフプレキャスト梁の製造方法、及び建築構造物の躯体の施工方法によれば、超高層建築物を始めとする建築物において、現場での作業を簡易にし、施工工数を削減することにより工期を短縮することを可能とすることができる。
【図面の簡単な説明】
【００１９】
【図１】建築構造物の構成を示す縦断面図である。
【図２】建築構造物の構成を示す図１のＡ−Ａ断面図である。
【図３】建築構造物の構成を示す図１のＢ−Ｂ断面図である。
【図４】本発明の一実施形態に係るハーフプレキャスト梁の斜視図である。
【図５】本発明の建築構造物の躯体の第一実施形態の施工方法を示すフロー図である。
【図６】本発明の建築構造物の躯体の第一実施形態の施工方法における（ａ）壁筋組立工程、（ｂ）型枠仮設工程、（ｃ）第一打設工程について示す、断面図である。
【図７】本発明の建築構造物の躯体の第一実施形態の施工方法における（ａ）型枠撤去工程、（ｂ）養生後、（ｃ）受け材仮設工程について示す、断面図である。
【図８】本発明の建築構造物の躯体の第一実施形態の施工方法における（ａ）梁設置工程、（ｂ）スラブ板設置工程、（ｃ）第二打設工程、（ｄ）養生撤去後について示す、断面図である。
【図９】本発明の建築構造物の躯体の第一実施形態の施工方法における（ａ）施工前、（ｂ）壁筋組立工程、（ｃ）型枠仮設工程ついて示す、立面図である。
【図１０】本発明の建築構造物の躯体の第一実施形態の施工方法における（ａ）第一打設工程、（ｂ）型枠撤去工程、（ｃ）養生後について示す、立面図である。
【図１１】本発明の建築構造物の躯体の第一実施形態の施工方法における（ａ）受け材仮設工程、（ｂ）梁設置工程、スラブ板設置工程（ｃ）柱上部打設後、（ｄ）第二打設工程について示す、立面図である。
【図１２】本発明の建築構造物の躯体の第二実施形態の施工方法を示すフロー図である。
【図１３】本発明の建築構造物の躯体の第二実施形態の施工方法における（ａ）施工前、（ｂ）支保工設置工程、（ｃ）壁筋組立工程、梁設置工程について示す、断面図である。
【図１４】本発明の建築構造物の躯体の第二実施形態の施工方法における（ａ）型枠仮設工程、（ｂ）第一打設工程、（ｃ）撤去工程について示す、断面図である。
【図１５】本発明の建築構造物の躯体の第二実施形態の施工方法における（ａ）スラブ板設置工程、（ｂ）第二打設工程について示す、断面図である。
【図１６】本発明の建築構造物の躯体の第二実施形態の施工方法における（ａ）施工前、（ｂ）支保工設置工程、（ｃ）壁筋組立工程、梁設置工程ついて示す、立面図である。
【図１７】本発明の建築構造物の躯体の第二実施形態の施工方法における（ａ）型枠仮設工程、（ｂ）第一打設工程、（ｃ）撤去工程ついて示す、立面図である。
【図１８】本発明の建築構造物の躯体の第二実施形態の施工方法における（ａ）養生後、（ｂ）大梁型枠設置後、（ｃ）大梁施工後ついて示す、立面図である。
【図１９】本発明の建築構造物の躯体の第二実施形態の施工方法における（ａ）スラブ板設置工程、第二打設工程（ｂ）養生後ついて示す、立面図である。
【図２０】本発明の一実施形態に係るハーフプレキャスト梁の製造方法を示すフロー図である。
【図２１】本発明の一実施形態に係るハーフプレキャスト梁の製造方法における(ａ)土台設置工程、（ｂ）外型枠仮設工程、（ｃ）梁筋設置工程について示す、断面図である。
【図２２】本発明の一実施形態に係るハーフプレキャスト梁の製造方法における内型枠仮設工程について示す、断面図である。
【図２３】本発明の一実施形態に係るハーフプレキャスト梁の製造方法における(ａ)打設工程、（ｂ）型枠撤去工程１、（ｃ）型枠撤去工程２について示す、断面図である。
【図２４】本発明の一実施形態に係るハーフプレキャスト梁の製造方法における(ａ)型枠撤去工程３、（ｂ）型枠撤去工程４、（ｃ）ハーフプレキャスト梁離脱後について示す、断面図である。
【発明を実施するための形態】
【００２０】
以下、図面を参照し、本発明の一実施形態のハーフプレキャスト梁１について説明する。
図１乃至図３は、建築構造物の躯体１０の構成を示している。
図１に示すように、建築構造物の躯体１０は、各部屋を区切る壁３と、該壁３の直上に設けられたハーフプレキャスト梁１と、該ハーフプレキャスト梁１の一部と一体となって上階の床を構成するスラブ２とを備える。
以下においては、水平方向のうちハーフプレキャスト梁１が延在する方向である図２の左右方向をＸ方向、もう一方の水平方向である図１の左右方向をＹ方向、上下方向をＺ方向と称する（以下同じ）。
【００２１】
以下、ハーフプレキャスト梁１について詳細に説明する。
ハーフプレキャスト梁１は、Ｘ方向に延在するように配置された梁主筋１１と、梁主筋１１を囲むように設けられたせん断補強筋１２と、ハーフプレキャスト梁１の両側の下部に対向して形成されたプレキャストコンクリート板１３とを備える。
【００２２】
図４に示すように、梁主筋１１は、ＹＺ断面で略矩形をなすハーフプレキャスト梁１断面の外周部において、Ｙ方向及びＺ方向に複数配されるとともに、Ｘ方向に延在している。本実施形態では、梁主筋１１は、ハーフプレキャスト梁１断面のＹ方向の両側部に各１本、Ｚ方向の上側、下側、及び上側と下側の中間部で１本ずつ配筋されている。
なお、上記数字は一例であり、適宜設定可能である。
【００２３】
せん断補強筋１２は、ＹＺ断面で梁主筋１１を囲むように設けるとともに、Ｘ方向に所定の間隔をもって複数配されている。本実施形態では、せん断補強筋１２は外周部に位置する梁主筋１１を包囲するとともに、Ｙ方向の下側及び中間部に位置する梁主筋１１を包囲して配筋されている。
【００２４】
プレキャストコンクリート板１３は、ハーフプレキャスト梁１のＹ方向両側の下部において、梁主筋１１及びせん断補強筋１２の一部をその内部に配置するとともに、対向して形成されている。本実施形態では、Ｚ方向の中間部及び下側の梁主筋１１を上下方向にその内部に配置するように形成され、Ｘ方向に延設されている。
また、プレキャストコンクリート板１３はＹ方向の両側に対向して設けられているので、ハーフプレキャスト梁１はＹ方向の中心部付近ではＺ方向に貫通空間３３が形成されている。
【００２５】
次に、本発明の建築構造物の躯体１０の第一実施形態の施工方法について説明する。
この製造方法は、図５に示すように、壁筋組立工程Ｓ１１と、型枠仮設工程Ｓ１２と、第一打設工程Ｓ１３と、型枠撤去工程Ｓ１４と、受け材仮設工程Ｓ１５と、梁設置工程Ｓ１６と、スラブ板設置工程Ｓ１７と、第二打設工程Ｓ１８と、受け材撤去工程Ｓ１９とを備える。
以下、図６乃至図１１を用いて、詳細に説明する。
【００２６】
前工程として、図９（ａ）に示すように躯体１０を施工する階のスラブ２を施工する。
次に、壁筋組立工程Ｓ１１を実行する。
すなわち、図６（ａ）に示すように、床からＺ方向に延在する壁縦筋３１及びＸ方向に延在する壁横筋３２を有する壁筋３４を組み立てる。本実施形態では、Ｙ方向に間隔をおいて２本の壁縦筋３１が配筋され、該壁縦筋３１の外周を囲むようにＺ方向に間隔をおいて複数本の壁横筋３２が配筋されている。
なお、図６（ａ）に示す構造をＹ方向から見た立面図を、図９（ｂ）に示す。
【００２７】
次に、型枠仮設工程Ｓ１２を実行する。
すなわち、図６（ｂ）に示すように、壁筋３４のＹ方向における両外側に該壁筋３４と間隔をおいて、Ｘ方向に延設されたコンクリート用型枠１０１を仮設する。
なお、図６（ｂ）に示す構造をＹ方向から見た立面図を、図９（ｃ）に示す。
【００２８】
次に、第一打設工程Ｓ１３を実行する。
すなわち、図６（ｃ）に示すように、コンクリート１０２を、壁筋３４のＹ方向における両外側に仮設されたコンクリート用型枠１０１の間に打設する。これにより、壁筋３４と打設されたコンクリート１０２とを有する壁３が形成される。
なお、図６（ｃ）に示す構造をＹ方向から見た立面図を、図１０（ａ）に示す。
【００２９】
次に、型枠撤去工程Ｓ１４を実行する。
すなわち、図７（ａ）に示すように、第一打設工程Ｓ１３で使用したコンクリート用型枠１０１を撤去する。その後、図７（ｂ）に示すように、コンクリート１０２の温度、湿度を所定の範囲に維持するために、ビニール１０５等で養生する。
なお、図７（ａ）、（ｂ）に示す構造をＹ方向から見た立面図を、それぞれ図１０（ｂ）、（ｃ）に示す。
【００３０】
次に、受け材仮設工程Ｓ１５を実行する。
すなわち、図７（ｃ）に示すように、第一打設工程Ｓ１３で形成された壁３の上方に受け材１０３を仮設する。本実施形態では、受け材１０３は、アングル等の留め金具であり、壁３をＹ方向の両側から挟みこむことにより固定されている。また、受け材１０３の上面は、後工程で設置するハーフプレキャスト梁１を支持する。
なお、受け材１０３の形状は上述に限られず、壁３に固定されるとともに、ハーフプレキャスト梁１を支持することができれば、任意の形状でよい。
ここで、図７（ｃ）に示す構造をＹ方向から見た立面図を、図１１（ａ）に示す。
【００３１】
次に、梁設置工程Ｓ１６を実行する。
すなわち、図８（ａ）に示すように、壁３及び受け材１０３の上方に、ハーフプレキャスト梁１を設置する。ここで、ハーフプレキャスト梁１のＹ方向の中心部付近ではＺ方向に貫通空間３３が形成されている。よって、壁縦筋３１の上方からハーフプレキャスト梁１を下方に移動することにより、ハーフプレキャスト梁１の貫通空間３３に壁縦筋３１を挿通させて、ハーフプレキャスト梁１を設置することができる。
【００３２】
次に、スラブ板設置工程Ｓ１７を実行する。
すなわち、図８（ｂ）に示すように、スラブ板２１をハーフプレキャスト梁１のプレキャストコンクリート板１３の上側に係止させるようにして設置する。
なお、図８（ｂ）に示す構造をＹ方向から見た立面図を、図１１（ｂ）に示す。
その後、図１１（ｃ）に示すように、柱上にコンクリートを打設する。
【００３３】
次に、第二打設工程Ｓ１８を実行する。
すなわち、図８（ｃ）に示すように、スラブ板２１の上方及びハーフプレキャスト梁１の内部にコンクリート１０４を打設する。
【００３４】
次に、受け材撤去工程Ｓ１９を実行する。
すなわち、図８（ｄ）に示すように、ハーフプレキャスト梁１を取り付けるために仮設された図７（ｃ）に示す受け材１０３を撤去する。
なお、図８（ｃ）に示す構造をＹ方向から見た立面図を、図１１（ｄ）に示す。
【００３５】
本実施形態の建築構造物の躯体１０の施工方法によれば、壁筋組立工程Ｓ１１により壁３の内側部分を構成する壁縦筋３１及び壁横筋３２を組み立て、第一打設工程Ｓ１３により壁３の外側部分を構成するコンクリート１０２を施工する。これにより、建築構造物の躯体１０を構成する壁３として耐震壁を施工することができる。
また、スラブ板設置工程Ｓ１７によりスラブ２の下側を構成するスラブ板２１を設置し、第二打設工程Ｓ１８によりスラブ２の上側を構成するコンクリート１０４を施工する。これにより、建築構造物の躯体１０を構成するスラブ２を施工することができる。
また、受け材仮設工程Ｓ１５により後工程で設置するハーフプレキャスト梁１を支持する受け材１０３を設置し、その後、梁設置工程Ｓ１６によりハーフプレキャスト梁１を設置する。次に、第二打設工程Ｓ１８によりハーフプレキャスト梁１の内部にコンクリート１０４を施工する。これにより、受け材１０３がハーフプレキャスト梁１を確実に支持するとともに、ハーフプレキャスト梁１の内部にコンクリート１０４を充填することができる。よって、建築構造物の躯体１０を構成する梁を施工することができる。
また、梁としては予め工場で製造されたハーフプレキャスト梁１を使用するので、現場で複数の梁主筋１１及びせん断補強筋１２を配筋する必要がなく、予め複数の梁主筋１１及びせん断補強筋１２を配筋されたハーフプレキャスト梁１を受け材１０３の上方に設置すればよい。よって、現場での作業を簡易にし、施工工数を削減することにより工期を短縮することを可能とする。
また、ハーフプレキャスト梁１を構成するプレキャストコンクリート板１３は、現場でハーフプレキャスト梁１の内部に打設するコンクリート１０４の型枠の役割を担う。よって、現場でコンクリート１０４を打設するために必要となる型枠を仮設し、さらに撤去する必要がないので、現場での作業を簡易にし、施工工数を削減することができる。
【００３６】
次に、本発明の建築構造物の躯体１０の第二実施形態の施工方法について説明する。
この製造方法は、図１２に示すように、支保工設置工程Ｓ２１と、壁筋組立工程Ｓ２２と、梁設置工程Ｓ２３と、型枠仮設工程Ｓ２４と、第一打設工程Ｓ２５と、撤去工程Ｓ２６と、スラブ板設置工程Ｓ２７と、第二打設工程Ｓ２８とを備える。
以下、図１３乃至図１５を用いて、詳細に説明する。
【００３７】
前工程として、図１３（ａ）に示すように躯体１０を施工する階のスラブ２を施工する。図１６（ａ）は、図１３（ａ）で示す構造をＹ方向から見た立面図である。
次に、支保工設置工程Ｓ２１を実施する。
すなわち、図１３（ｂ）に示すように、支柱１１２と、横材１１３と、斜材１１４と、梁支持材１１５とを備える支保工１１１を組み立てる。支柱１１２をＺ方向に立設し、支柱１１２の下端に横材１１３の一端を取り付け、支柱１１２の上端と横材１１３の他端を斜材１１４で連結するとともに、連結箇所をそれぞれ締結する。また、支柱１１２の下端、及び斜材１１４の下端をそれぞれ地面に取り付ける。図１６（ｂ）に示すように、本実施形態では、支保工１１１は柱間で３箇所に設けられている。
また、梁支持材１１５は、後工程で設置するハーフプレキャスト梁１と係止する係止部１１６と、支柱１１２に取り付けられた取付部１１７とを備える。本実施形態では、係止部１１６にはハーフプレキャスト梁１を支持するためのネジ孔が設けられ（不図示）、取付部１１７は支柱１１２とビス等で固定されている。
なお、支保工１１１の構成は上述に限られず、後工程で設置するハーフプレキャスト梁１を支持することができれば任意の構成でよい。
ここで、図１３（ｂ）に示す構造をＹ方向から見た立面図を、図１６（ｂ）に示す。
【００３８】
次に、壁筋組立工程Ｓ２２を実施する。
すなわち、図１３（ｃ）に示すように、床からＺ方向に延在する壁縦筋３１及びＸ方向に延在する壁横筋３２を有する壁筋３４を組み立てる。本実施形態では、Ｙ方向に間隔をおいて２本の壁縦筋３１が配筋され、該壁縦筋３１の外周を囲むようにＺ方向に間隔をおいて複数本の壁横筋３２が配筋されている。
なお、図１３（ｃ）に示す構造をＹ方向から見た立面図を、図１６（ｃ）に示す。
【００３９】
次に、梁設置工程Ｓ２３を実施する。
すなわち、図１３（ｃ）に示すように、支保工設置工程Ｓ２１で設置された支保工１１１の梁支持材１１５の係止部１１６に支持されるようにハーフプレキャスト梁１を設置する。本実施形態では、ハーフプレキャスト梁１には予めインサートネジが設けられており（不図示）、支保工１１１の梁支持材１１５のネジ孔と位置を合わせて、ネジ止めすることによりハーフプレキャスト梁１と支保工１１１を固定する。
ここで、ハーフプレキャスト梁１のＹ方向の中心部付近ではＺ方向に貫通空間３３が形成されている。よって、壁縦筋３１の上方からハーフプレキャスト梁１を下方に移動することにより、ハーフプレキャスト梁１の貫通空間３３に壁縦筋３１を挿通させて、ハーフプレキャスト梁１を設置することができる。
なお、ハーフプレキャスト梁１と支保工１１１との固定方法は上述の方法に限られず、固定可能であれば任意の構成でよい。
【００４０】
次に、型枠仮設工程Ｓ２４を実施する。
すなわち、図１４（ａ）に示すように、壁筋３４のＹ方向における両外側に該壁筋３４と間隔をおいて、Ｘ方向に延設されたコンクリート用型枠１０１を仮設する。
なお、図１４（ａ）に示す構造をＹ方向から見た立面図を、図１７（ａ）に示す。
【００４１】
次に、第一打設工程Ｓ２５を実施する。
すなわち、図１４（ｂ）に示すように、コンクリート１１８を壁筋３４のＹ方向における両外側に仮設されたコンクリート用型枠１０１の間、及びハーフプレキャスト梁１の内部におけるプレキャストコンクリート板１３の上面まで打設する。これにより、壁筋３４と打設されたコンクリート１１８とを有する壁３が形成される。
なお、図１４（ｂ）に示す構造をＹ方向から見た立面図を、図１７（ｂ）に示す。
【００４２】
次に、撤去工程Ｓ２６を実施する。
すなわち、図１４（ｃ）に示すように、第一打設工程Ｓ２５で使用したコンクリート用型枠１０１、及び該コンクリート用型枠１０１を支持する支保工１１１を撤去する。次に、図１５（ａ）に示すように、コンクリート１１８の温度、湿度を所定の範囲に維持するために、ビニール１０５等で養生する。
なお、図１４（ｃ）、図１５（ａ）に示す構造をＹ方向から見た立面図を、それぞれ図１７（ｃ）、図１８（ａ）に示す。
その後、図１８（ｂ）に示すように大梁型枠を設置し、図１８（ｃ）に示すように大梁にコンクリートを打設する。
【００４３】
次に、スラブ板設置工程Ｓ２７を実施する。
すなわち、図１５（ａ）に示すように、スラブ板２１をハーフプレキャスト梁１のプレキャストコンクリート板１３の上側に係止させるようにして設置する。
なお、図１５（ａ）に示す構造をＹ方向から見た立面図を、図１９（ａ）に示す。
【００４４】
次に、第二打設工程Ｓ２８を実施する。
すなわち、図１５（ｂ）に示すように、スラブ板２１の上方及びハーフプレキャスト梁１の内部にコンクリート１１９を打設する。
なお、図１５（ｂ）に示す構造をＹ方向から見た立面図を、図１９（ｂ）に示す。
【００４５】
本実施形態の建築構造物の躯体１０の施工方法によれば、壁筋組立工程Ｓ２２により壁３の内側部分を構成する壁縦筋３１及び壁横筋３２を組み立て、第一打設工程Ｓ２５により壁３の外側部分を構成するコンクリート１１８を施工する。これにより、建築構造物の躯体１０を構成する壁３として耐震壁を施工することができる。
また、スラブ板設置工程Ｓ２７によりスラブ２の下側を構成するスラブ板２１を設置し、第二打設工程Ｓ２８によりスラブ２の上側を構成するコンクリート１１９を施工する。これにより、建築構造物の躯体１０を構成するスラブ２を施工することができる。
また、第一打設工程Ｓ２５により、コンクリート１１８をハーフプレキャスト梁１の下部に充填することができる。そして、支保工設置工程Ｓ２１により後工程で設置するハーフプレキャスト梁１を支持するために梁支持材１１５を設置し、その後、梁設置工程Ｓ２３によりハーフプレキャスト梁１を設置する。次に、第二打設工程Ｓ２８によりコンクリート１１９をハーフプレキャスト梁１の内部に充填することができる。これにより、梁支持材１１５がハーフプレキャスト梁１を確実に支持するとともに、コンクリート１１９をハーフプレキャスト梁１の内部の全部に充填することができる。よって、建築構造物の躯体１０を構成する梁を施工することができる。
また、梁としては予め工場で製造されたハーフプレキャスト梁１を使用するので、現場で複数の梁主筋１１及びせん断補強筋１２を配筋する必要がなく、予め複数の梁主筋１１及びせん断補強筋１２を配筋されたハーフプレキャスト梁１を受け材の上方に設置すればよい。よって、現場での作業を簡易にし、施工工数を削減することにより工期を短縮することを可能とする。
また、ハーフプレキャスト梁１を構成するプレキャストコンクリート板１３は、現場でハーフプレキャスト梁１の内部に打設するコンクリート１１９の型枠の役割を担う。よって、現場でコンクリート１１９を打設するために必要となる型枠を仮設し、さらに撤去する必要がないので、現場での作業を簡易にし、施工工数を削減することができる。
【００４６】
次に、本発明の一実施形態のハーフプレキャスト梁１の製造方法について説明する。
この製造方法は、図２０に示すように、土台設置工程Ｓ０１と、外型枠仮設工程Ｓ０２と、梁筋設置工程Ｓ０３と、内型枠仮設工程Ｓ０４と、打設工程Ｓ０５と、型枠撤去工程Ｓ０６とを備える。
以下、図２１乃至図２４を用いて、詳細に説明する。
【００４７】
まず、土台設置工程Ｓ０１を実行する。
すなわち、図２１（ａ）に示すように、基板１２２と該基板１２２の上面から上方に突出した複数の凸部１２３とを備えるとともに、Ｘ方向に延設された土台１２１を敷設する。
【００４８】
次に、外型枠仮設工程Ｓ０２を実行する。
すなわち、図２１（ｂ）に示すように、Ｘ方向に延設された２枚のコンクリート用外型枠１２５を、土台１２１の凸部１２３のＹ方向における外側に凸部１２３と間隔をおいて仮設する。
【００４９】
次に、梁筋設置工程Ｓ０３を実行する。
すなわち、図２１（ｃ）に示すように、土台１２１の凸部１２３の上方であり、２枚のコンクリート用外型枠１２５の間に、ハーフプレキャスト梁１の梁主筋１１及びせん断補強筋１２を構成するように予め組み立てられた梁筋１５を設置する。該梁筋１５はコンクリート用外型枠１２５との間に間隙をおいて配されている。
【００５０】
次に、内型枠仮設工程Ｓ０４を実行する。
すなわち、図２２（ａ）乃至（ｃ）に示すように、土台１２１の凸部１２３の上方にコンクリート用内型枠１２６を仮設する。本実施形態では、コンクリート用型枠１０１は、せん断補強筋１２と干渉しない形状に形成されるとともに、Ｚ方向に３分割された分割コンクリート用型枠１２７が用いられている。よって、敷設された状態で下方に位置する分割コンクリート用型枠１２７から順に土台１２１の上に敷設する。
なお、コンクリート用内型枠１２６の構成は上記に限られず、せん断補強筋１２と干渉しなければよい。
【００５１】
次に、打設工程Ｓ０５を実行する。
すなわち、図２３（ａ）に示すように、外型枠仮設工程Ｓ０２、及び内型枠仮設工程Ｓ０４によって仮設されたコンクリート用外型枠１２５とコンクリート用内型枠１２６の間にコンクリート１３１を打設する。
【００５２】
次に、型枠撤去工程Ｓ０６を実行する。
すなわち、図２３（ｂ）乃至図２４（ｂ）に示すように、打設工程Ｓ０５で型枠として使用したコンクリート用外型枠１２５及びコンクリート用内型枠１２６を撤去する。本実施形態では、コンクリート用内型枠１２６として分割コンクリート用型枠１２７が使用されているので、仮設された状態で上方から順に撤去する。
【００５３】
上述のハーフプレキャスト梁１の製造方法によれば、梁筋設置工程Ｓ０３によりハーフプレキャスト梁１を構成する梁主筋１１及びせん断補強筋１２を配筋することができる。また、土台設置工程Ｓ０１、外型枠仮設工程Ｓ０２、及び内型枠仮設工程Ｓ０４により、後工程で打設するコンクリート１３１の型枠を形成し、形成された型枠に打設工程Ｓ０５により確実にコンクリート１３１を充填することができるので、ハーフプレキャスト梁１を構成するプレキャストコンクリート板１３を製造することができる。また、プレキャストコンクリート板１３は対向して設けられているので、該プレキャストコンクリート板１３に挟まれた部分には、Ｚ方向に貫通した貫通空間３３が形成される。
上述の工程は工場で行うことができるため、予め工場にてハーフプレキャスト梁１を製造することができる。
【００５４】
尚、上述した実施の形態において示した組立手順、あるいは各構成部材の諸形状や組み合わせ等は一例であって、本発明の主旨から逸脱しない範囲において設計要求等に基づき種々変更可能である。
【符号の説明】
【００５５】
１…ハーフプレキャスト梁
２…スラブ
３…壁
１０…躯体
１１…梁主筋
１２…せん断補強筋
１３…プレキャストコンクリート板
１５…梁筋
２１…スラブ板
３１…壁縦筋
３２…壁横筋
３３…貫通空間
１０１…コンクリート用型枠
１０２、１０４、１１８、１１９、１３１…コンクリート（第一打設工程）
１０３…受け材
１１１…支保工
１２１…土台
１２３…凸部
１２５…コンクリート用外型枠
１２６…コンクリート用内型枠
１２７…分割コンクリート用内型枠
Ｓ０１…土台設置工程
Ｓ０２…外型枠仮設工程
Ｓ０３…梁筋設置工程
Ｓ０４…内型枠設置工程
Ｓ０５…打設工程
Ｓ０６…型枠撤去工程
Ｓ１１、Ｓ２２…壁筋組立工程
Ｓ１２、Ｓ２４…型枠仮設工程
Ｓ１３、Ｓ２５…第一打設工程
Ｓ１４…型枠撤去工程
Ｓ１５…受け材仮設工程
Ｓ１６、Ｓ２３…梁設置工程
Ｓ１７、Ｓ２７…スラブ板設置工程
Ｓ１８、Ｓ２８…第二打設工程
Ｓ１９…受け材撤去工程
Ｓ２１…支保工設置工程
Ｓ２６…撤去工程
【図１】
2012241311.tif 000003
【図２】
2012241311.tif 000004
【図３】
2012241311.tif 000005
【図４】
2012241311.tif 000006
【図５】
2012241311.tif 000007
【図６】
2012241311.tif 000008
【図７】
2012241311.tif 000009
【図８】
2012241311.tif 000010
【図９】
2012241311.tif 000011
【図１０】
2012241311.tif 000012
【図１１】
2012241311.tif 000013
【図１２】
2012241311.tif 000014
【図１３】
2012241311.tif 000015
【図１４】
2012241311.tif 000016
【図１５】
2012241311.tif 000017
【図１６】
2012241311.tif 000018
【図１７】
2012241311.tif 000019
【図１８】
2012241311.tif 000020
【図１９】
2012241311.tif 000021
【図２０】
2012241311.tif 000022
【図２１】
2012241311.tif 000023
【図２２】
2012241311.tif 000024
【図２３】
2012241311.tif 000025
【図２４】
2012241311.tif 000026